(57)【要約】【課題】  本発明は、外径寸法に制約のある用途での遠心ファンのケーシングの風量性能改善を目的とする。【解決手段】  本発明に成る遠心ファンのケーシングは、スクロール形状が、通風路の最上流側部位を第４象限とし最下流側部位を第１象限としたとき、上流側の所定スクロール拡大角に成る第１内周面と、該第１内周面の延長円弧面に対し放射方向に拡大して連通する拡張内周面とが、第３象限で連通し、前記拡張内周面の、前記第１内周面の延長円弧面に対する拡大比が、吐出口に対向する背面の中央部となる前記第２象限と第３象限の境界部Ａで１０６〜１１０％、該境界部から下流側３０°の部位Ｂで１０８〜１１２％、次の３０°の部位Ｃで１０５〜１０９％の範囲となるよう形成されている。【選択図】        図１
2005240761.tif 000002
【特許請求の範囲】
【請求項１】
ケーシング内周面と羽根車外周端縁とで形成される通風路の広さが、上流側から下流側に向かって順次拡大するスクロール形状を備える遠心ファンのケーシングで、外形寸法制限により、前記スクロール形状の拡大が抑制される遠心ファンのケーシングにおいて、前記スクロール形状が、上流側の所定スクロール拡大角に成る第１内周面と、該第１内周面の延長円弧面に対し放射方向に拡大して連通する拡張内周面とを有すること、を特徴とする遠心ファンのケーシング。
【請求項２】
前記通風路の最上流側部位を第４象限とし最下流側部位を第１象限としたとき、前記第１内周面と拡張内周面とが、第３象限で連通していること、を特徴とする請求項１に記載の遠心ファンのケーシング。
【請求項３】
前記拡張内周面の、前記第１内周面の延長円弧面に対する拡大比が、吐出口に対向する背面の中央部となる前記第２象限と第３象限の境界部で１０６〜１１０％、該境界部から下流側３０°の部位で１０８〜１１２％、次の３０°の部位で１０５〜１０９％の範囲となるよう形成されていること、を特徴とする請求項１又は２に記載の遠心ファンのケーシング。
【発明の詳細な説明】
【技術分野】
【０００１】
本発明は遠心ファン、特に外径寸法に制限を受けるボックスファンとして使用される遠心ファンのケーシングの改良に関する。
【背景技術】
【０００２】
遠心ファンのケーシングは、通風路面積が上流側から下流側に順次拡大するスクロール形状とすることで、所期の静圧・風量両特性を得るように構成されているが、実装面では、当該遠心ファンの外径寸法制約により、最上流端側から最下流短側まで所定の拡大角を維持できないことも少なくない。
【０００３】
図３は、外径寸法の制約に係る外被ボックスを備えるボックスファンとしての横断面透視図で、最下流側までスクロールの拡大がが維持される様子を示す実線表示と、外径寸法の制約により最下流側でスクロールが遮断される様子を示す破線表示を併記するもので、下流側低静圧領域での通風路面積の縮小に伴い風量ダウンを余儀なくされることは容易に理解できる。
【０００４】
【特許文献１】特開平９−２２８９９７号公報
【発明の開示】
【発明が解決しようとする課題】
【０００５】
従って、上述ボックスファンの例等の実装条件下において、風量特性のダウンを回避する策の実現が、寸法上の制約に対応する性能面での改善が期待される課題となっていた。
【課題を解決するための手段】
【０００６】
ケーシング内周面と羽根車外周端縁とで形成される通風路の広さが、上流側から下流側に向かって順次拡大するスクロール形状を備え、外形寸法制限により、前記スクロール形状の拡大が抑制される遠心ファンのケーシングで、前記スクロール形状が、上流側の所定スクロール拡大角に成る第１内周面と、該第１内周面の延長円弧面に対し放射方向に拡大して連通する拡張内周面とを有し、
【０００７】
前記通風路の最上流側部位を第４象限とし最下流側部位を第１象限としたとき、前記第１内周面と拡張内周面とが、第３象限内で連通し、
【０００８】
前記拡張内周面の、前記第１内周面の延長円弧面に対する拡大比が、吐出口に対向する背面の中央部となる前記第２象限と第３象限の境界部Ａで１０６〜１１０％、該境界部から下流側３０°の部位Ｂで１０８〜１１２％、次の３０°の部位Ｃで１０５〜１０９％の範囲となるよう形成されている。
【発明の効果】
【０００９】
本発明に成る遠心ファンのケーシングは、外径寸法制約による風量ダウンをカバーできる。
【発明を実施するための最良の形態】
【００１０】
以下図面によって本発明の実施例を説明する。
【実施例１】
【００１１】
図１は本発明に成る遠心ファンの例の、吸込口を見る透視略図で、通風路の狭い上流側から所定の拡大角で順次拡大する第１内周面は、従来技術に成るケーシングでは、同図に破線で示すように、通風路最上流側部位を第４象限、最下流側部位を第１象限として、第４象限での所定の拡大角による第１内周面に連通する、第３象限の部位から破線で示すような前記第１内周面の延長線上にある円弧面が形成されるが、本願発明に成るケーシングは、実線で示すように、第３象限部位を始点として、前記第１内周面にに連通し該第１内周面に対し放射方向に拡大する拡張内周面を備えるものである。
【００１２】
実用構造としてよく知られる外被ボックスに収納される所謂ボックスファンにおいては、第３象限から拡大される拡張内周面は、当該ボックスの内面に当接する箇所までは所定の拡大角で順次拡大し所期のスクロール形状を形成できるが、図に見るように下流側の第１象限及び第２象限においてボックスの寸法制限により、所定の拡大角に伴う拡張が妨げられることで下流領域での通風路面積縮減を余儀なくされ、風量ダウンを伴うので、性能回復の策を検討した結果が本願発明技術に繋がっている。
【実施例２】
【００１３】
上述し図に示しているように、実用上は、前記通風路の最上流側部位を第４象限とし最下流側部位を第１象限としたとき、前記第１内周面と拡張内周面との連通する部位は、第３象限領域であることが好ましい。
【００１４】
また、図２に示すように、前記拡張内周面の、前記第１内周面の延長円弧面に対する拡大比が、吐出口に対向する背面の中央部となる前記第２象限と第３象限の境界部Ａで１０６〜１１０％、該境界部から下流側３０°の部位Ｂで１０８〜１１２％、次の３０°の部位Ｃで１０５〜１０９％の範囲とすることが、風量性能改善に最も有効であることが確認されている。
【産業上の利用可能性】
【００１５】
本発明に成る遠心ファンのケーシングは、ボックスファンの例等の、外径寸法の制約を受ける実装条件下において、風量特性のダウンを回避できる遠心ファンの実現に寄与する。
【図面の簡単な説明】
【００１６】
【図１】本発明に成る例の、遠心ファンのケーシングを説明する図である。
【図２】本発明に成る遠心ファンのケーシングの形成諸元と実現効果を説明する図である。
【図３】従来技術に成る例の、遠心ファンのケーシングを説明する図である。
【符号の説明】
【００１７】
１        遠心ファンのケーシング
２        外被ボックス
３        通風路
３−１    所定のスクロール拡大角に成る第１内周面を形成する通風路の上流側部位（第４象限）
３−１’  従来技術での、所定のスクロール拡大角に成る内周面
３−２    第１内周面と拡張内周面とが連通する部位（第３象限）
３−３    拡張内周面を備える部位（第２象限）
３−３’  拡張内周面
３−４    外径寸法制限でスクロール拡大角が維持できない通風路の下流側部位（第１象限）
【図１】
2005240761.tif 000003
【図２】
2005240761.tif 000004
【図３】
2005240761.tif 000005